(57)【要約】【課題】  いたずらや乗客の手荷物の接触等によるマンコンベヤの運転停止を防止すると共に、乗客の手が手摺ベルトとインレット部材の間に挟まれた場合に容易に手を抜くことができるようにしたマンコンベヤのインレット安全装置を提供する。【解決手段】  スカート部７に設けられた手摺ベルト４の進入口７ｂに略筒状のインレット部材８が出入り自在に支持されている。スカート部内にはスイッチ９が設けられており、インレット部材がスカート部内へ所定長さ移動したときにスイッチ９が作動して制御装置１１がマンコンベヤの運転を停止させる。インレット部材は周壁８ｂの先端部から端面８ｃに至る部位が薄肉状に形成されており、該部位と手摺ベルトとの間に異物が挟まれたとき、及び先端部にスカート部内へ移動させる方向の力が与えられたときには周壁が弾性変形して移動が阻止され、端面８ｃにスカート部内へ移動させる方向の力が与えられたときには移動する。【選択図】      図４
2006062812.tif 000002
【特許請求の範囲】
【請求項１】
乗客の足元を保護するスカート部の端部に設けられた手摺ベルトの進入口に前記手摺ベルトと平行に出入り自在に支持され、前記手摺ベルトを内包すると共に先端部が前記進入口から外方に突出した略筒状のインレット部材と、
前記インレット部材が前記スカート部内へ所定長さ移動したときに作動する検知手段と、
前記検知手段が作動したときにマンコンベヤの運転を停止させる制御装置と、
を備え、
前記インレット部材は、前記先端部から前記スカート部内の所定箇所に至る部位と前記手摺ベルトとの間に異物が挟まれたとき及び前記先端部に前記スカート部内へ移動させる方向の力が与えられたときには前記部位が弾性変形して移動が阻止され、前記所定箇所に前記スカート部内へ移動させる方向の力が与えられたときには移動するように形成されたことを特徴とするマンコンベヤのインレット安全装置。
【請求項２】
前記インレット部材の周壁における前記先端部から前記所定箇所に至る部位を薄肉状に形成したことを特徴とする請求項１記載のマンコンベヤのインレット安全装置。
【発明の詳細な説明】
【技術分野】
【０００１】
本発明は、エスカレータや動く歩道等のマンコンベヤのインレット安全装置に関する。
【背景技術】
【０００２】
図７は従来のマンコンベヤのインレット安全装置の要部横断面図、図８は図７のインレット安全装置の側面断面図である。
【０００３】
周知のように、マンコンベヤは、無端状に循環移動する多数のステップと、このステップの両側に位置するように立設された一対の欄干と、各欄干の周縁部に装着され、ステップと同期して走行する無端状の手摺ベルトとを備えている。また、各欄干の下部には乗客の足元を保護するためのスカート部が一方の乗降口と他方の乗降口との間に亘って延びるように設けられている。
【０００４】
手摺ベルトは、その走行に応じて順次スカート部内へ進入する。そして、手摺ベルトが進入するスカート部の両端部には、手摺ベルトの進入で人の指先がスカート部内へ引き込まれようとしたときの安全対策として、インレット部材が設けられている。
【０００５】
図７、図８に示すように、このインレット部材１０１は、その周壁の一部に長手方向に延びる切欠部１０１ａが形成された断面Ｃ字形の略筒状のもので、スカート部１０２の端部１０２ａに設けられた手摺ベルト１０３の進入口１０２ｂに手摺ベルト１０３と平行に出入り自在に支持され、先端部が進入口１０２ｂから外方に突出している。
【０００６】
そして、このインレット部材１０１には、切欠部１０１ａを通して欄干１０４の下部の一部が手摺ベルト１０３と共に内包され、手摺ベルト１０３が図８に示す矢印Ａ’方向に走行したときに、手摺ベルト１０３がインレット部材１０１内を通過してスカート部１０２内へ順次進入するようになっている。
【０００７】
インレット部材１０１は、スカート部１０２内に設けられたスイッチ１０５に作動板１０６を介して連結されている。また、インレット部材１０１は、図示しないスプリングによりスカート部１０２から突出する方向に弾性付勢されている。
【０００８】
そして、手摺ベルト１０３が矢印Ａ’方向に走行しているときに、例えば子供がいたずらをして指先が手摺ベルト１０３とインレット部材１０１との間の隙間Ｇ’に引き込まれると、その引き込まれた指先によりインレット部材１０１が手摺ベルト１０３と一体的に前記スプリングの弾性力に抗してスカート部１０２内へ向けて移動する。インレット部材１０１がスカート部１０２内へ所定長さ移動するとスイッチ１０５が作動し、マイクロコンピュータから成る制御装置１０７がマンコンベヤの駆動運転を停止させるようになっている。
【発明の開示】
【発明が解決しようとする課題】
【０００９】
上記従来のインレット部材１０１は、厚みが大きく硬くて剛性の高いゴム等を用いて形成されており、できるだけ手摺ベルト１０３の進入口１０２ｂ付近で手の挟まれを検出するようにしているため、足で蹴飛ばす等のいたずらが行われたときや乗客が手に持っている鞄等が接触したときに、乗客の手等の異物が手摺ベルト１０３とインレット部材１０１の間に挟まれていないにもかかわらず、スイッチ１０５が作動してマンコンベヤを停止させることがあった。
【００１０】
また、インレット部材１０１の先端部の剛性が高いと、乗客の手が手摺ベルト１０３とインレット部材１０１の間に挟まれたとき、自力で手を抜くことができず、レスキュー隊の出動を要請しなければならない場合があった。
【００１１】
本発明は上記問題点に鑑みてなされたものであり、その目的は、いたずらや乗客の手荷物の接触等によるマンコンベヤの運転停止を防止すると共に、乗客の手が手摺ベルトとインレット部材の間に挟まれた場合に容易に手を抜くことができるようにしたインレット安全装置を提供することにある。
【課題を解決するための手段】
【００１２】
上記目的を達成するために、本発明は、
乗客の足元を保護するスカート部の端部に設けられた手摺ベルトの進入口に前記手摺ベルトと平行に出入り自在に支持され、前記手摺ベルトを内包すると共に先端部が前記進入口から外方に突出した略筒状のインレット部材と、
前記インレット部材が前記スカート部内へ所定長さ移動したときに作動する検知手段と、
前記検知手段が作動したときにマンコンベヤの運転を停止させる制御装置と、
を備え、
前記インレット部材は、前記先端部から前記スカート部内の所定箇所に至る部位と前記手摺ベルトとの間に異物が挟まれたとき及び前記先端部に前記スカート部内へ移動させる方向の力が与えられたときには前記部位が弾性変形して移動が阻止され、前記所定箇所に前記スカート部内へ移動させる方向の力が与えられたときには移動するように形成されたことを特徴とするマンコンベヤのインレット安全装置である。
【発明の効果】
【００１３】
本発明によれば、インレット部材におけるスカート部内の所定箇所に力を加えない限りインレット部材がスカート部内へ移動しないため、インレット部材へのいたずらや乗客の手荷物の接触等によるマンコンベヤの運転停止を防止することができる。
【００１４】
また、インレット部材の先端部からスカート部内の所定箇所に至る部位が弾性変形可能であるため、乗客の手が手摺ベルトとインレット部材の間に挟まれた場合に容易に手を抜くことができる。
【発明を実施するための最良の形態】
【００１５】
以下、本発明の一実施形態を図面に基づいて説明する。図１は本発明の一実施形態であるインレット安全装置を備えたエスカレータの概略構成を示す側面図、図２は図１の要部正面図、図３は実施形態のインレット安全装置の要部横断面図、図４は図３のインレット安全装置の側面断面図、図５、図６は本発明の作用の説明図である。
【００１６】
図１において、このエスカレータは、建屋の下階と上階の間に亘って据え付けられたトラス１と、このトラス１内を無端状に循環移動する多数のステップ２と、このステップ２の両側に位置するようにトラス上に立設された一対の欄干３とを備えている。
【００１７】
そして、各欄干３の周縁部には無端状の手摺ベルト４が装着され、この手摺ベルト４がステップ２と同期して無端走行するようになっている。また、各欄干３の下部には建屋の下階の乗降口５と上階の乗降口６との間に亘って乗客の足元を保護するためのスカート部７が設けられている。
【００１８】
手摺ベルト４は、その走行に応じて順次スカート部７内へ進入する。すなわち、手摺ベルト４は、エスカレータの上昇運転時には上階の乗降口６におけるスカート部７の端部からその内部へ進入し、下降運転時には下階の乗降口５におけるスカート部７の端部からその内部へ進入する。
【００１９】
そして、手摺ベルト４が進入するスカート部７の両端部には、手摺ベルト４の進入で人の指先がスカート部７内に引き込まれようとしたときの安全対策として、インレット部材８（図２参照）が設けられている。
【００２０】
図３、図４に示すように、このインレット部材８は、ゴム等の弾性を有する材料で形成され、その周壁の一部に長手方向に延びる切欠部８ａが形成された断面Ｃ字形の略筒状のもので、スカート部７の端部７ａに設けられた手摺ベルト４の進入口７ｂに先端部が外方に突出するように設けられている。
【００２１】
そして、このインレット部材８には、切欠部８ａを通して欄干３の下部の一部が手摺ベルト４と共に内包され、手摺ベルト４は、図４に示す矢印Ａ方向に走行したときに、インレット部材８内を通過してスカート部７内へ順次進入するようになっている。
【００２２】
インレット部材８は、進入口７ｂに出入り自在に支持されていると共に、スカート部７内に設けられたスイッチ９に作動板１０を介して連結されている。また、インレット部材８は、図示しないスプリングによりスカート部７から突出する方向に弾性付勢されている。
【００２３】
インレット部材８の周壁８ｂは、先端部からスカート部７内の端面８ｃに至る部位が厚さ１ｍｍ程度の薄肉状に形成されている。なお、この薄肉状の部位には底部と両側部に長手方向に延びる補強リブ８ｄが形成されており、周壁８ｂに外力が作用しない状態において周壁８ｂが所定の形状を保つことができるようにしている。
【００２４】
このインレット部材８は、手摺ベルト４が図４の矢印Ａ方向に走行しているときに、例えば子供がいたずらをして指先Ｆが手摺ベルト４とインレット部材８との間の隙間Ｇに引き込まれると、図５に示すように、周壁８ｂが拡開するように弾性変形し、インレット部材８に与えられる外力を吸収するので、この状態ではインレット部材８がスカート部７内へ移動することはなく、エスカレータの運転は停止しない。
【００２５】
そして、手摺ベルト４の矢印Ａ方向の移動に伴って指先Ｆがインレット部材８内へ更に深く引き込まれて端面８ｃに接すると、インレット部材８がスカート部７内へ移動し始める。そして、インレット部材８が所定長さ移動した時点でスイッチ９が作動して制御装置１１がエスカレータの運転を停止させる。
【００２６】
なお、インレット部材８における先端部から端面８ｃに至る部位は拡開するように弾性変形可能であるため、手摺ベルト４とインレット部材８の間に挟まれた手を容易に抜くことができる。
【００２７】
また、インレット部材８の先端部に、いたずらや乗客の手荷物の接触等によってスカート部７内へ移動する方向の力が与えられたときには、図６に示すように、インレット部材８が長手方向に弾性変形して力を吸収するため、インレット部材８がスカート部７内へ移動することはない。したがって、エスカレータの運転が停止することはない。
【００２８】
このインレット安全装置を製作するには、上記従来のインレット安全装置のインレット部材を変更するだけでよく、スイッチや制御装置の変更が必要ないため、容易かつ安価に実施可能である。
【００２９】
なお、本発明はエスカレータ以外のマンコンベヤにも適用可能である。また、その他にも本発明の要旨を逸脱しない範囲で上記実施形態に種々の改変を施すことができる。
【図面の簡単な説明】
【００３０】
【図１】本発明の一実施形態であるインレット安全装置を備えたエスカレータの概略構成を示す側面図である。
【図２】図１の要部正面図である。
【図３】実施形態のインレット安全装置の要部横断面図である。
【図４】図３のインレット安全装置の側面断面図である。
【図５】本発明の作用の説明図である。
【図６】本発明の作用の説明図である。
【図７】従来のインレット安全装置の要部横断面図である。
【図８】図６のインレット安全装置の側面断面図である。
【符号の説明】
【００３１】
４    手摺ベルト
７    スカート部
７ｂ  進入口
８    インレット部材
９    スイッチ（検知手段）
１１    制御装置
【図１】
2006062812.tif 000003
【図２】
2006062812.tif 000004
【図３】
2006062812.tif 000005
【図４】
2006062812.tif 000006
【図５】
2006062812.tif 000007
【図６】
2006062812.tif 000008
【図７】
2006062812.tif 000009
【図８】
2006062812.tif 000010